(57)【要約】【課題】側端部から、鏡部の背面の発熱部や、背面と浴室壁との間の隙間が見えることがなく、見栄えのよい浴室鏡を提供する。【解決手段】背面に発熱部が設けられた鏡部１と、浴室壁５に固定される固定片２１と、前記固定片２１の側端部から前方に連設され前記鏡部の側端部を覆う覆い片２２と、を備えた一対のカバー２と、前記浴室壁５に固定される下固定片３１と、前記下固定片３１から前方に連設され前記鏡部を支持する下支持片３２と、前記下支持片３２に設けられ前記鏡部１の前面下端部を押さえる下押さえ部３３と、を備えた下フレーム３と、前記浴室壁５に固定される上固定片４１と、前記上固定片４１に設けられ前記鏡部１の前面上端部を押さえる上押さえ部４２と、を備えた上フレーム４と、で構成される。【選択図】        図１
2012130441.tif 000002
【特許請求の範囲】
【請求項１】
背面に発熱部が設けられた鏡部と、
浴室壁に固定される固定片と、前記固定片の側端部から前方に連設され前記鏡部の側端部を覆う覆い片と、を備えた一対のカバーと、
前記浴室壁に固定される下固定片と、前記下固定片から前方に連設され前記鏡部を支持する下支持片と、前記下支持片に設けられ前記鏡部の前面下端部を押さえる下押さえ部と、を備えた下フレームと、
前記浴室壁に固定される上固定片と、前記上固定片に設けられ前記鏡部の前面上端部を押さえる上押さえ部と、を備えた上フレームと、
で構成されることを特徴とする浴室鏡。
【発明の詳細な説明】
【技術分野】
【０００１】
本発明は、鏡部の背面に発熱部を備え浴室壁に取り付けられる浴室鏡に関するものである。
【背景技術】
【０００２】
従来から、浴室壁に取り付けられる浴室鏡は、鏡部と、浴室壁に固定される下フレームと上フレームと、を備え、下フレームと上フレームで鏡部が浴室壁に固定されている。
【０００３】
下フレームは、浴室壁に固定される下固定片と、下固定片から前方に連設され浴室鏡を支持する下支持片と、下支持片に設けられ鏡部の前面下端部を押さえる下押さえ部とを備えている。上フレームは、浴室壁に固定される上固定片と、上固定片に設けられ鏡部の前面上端部を押さえる上押さえ部とを備えている（例えば特許文献１参照）。
【先行技術文献】
【特許文献】
【０００４】
【特許文献１】特開平１０−３２７９９５号公報
【発明の概要】
【発明が解決しようとする課題】
【０００５】
ここで、浴室鏡が鏡部の背面に発熱部を備えた防曇鏡である場合、上記従来の浴室鏡における下フレーム及び上フレームで浴室壁に鏡部が取り付けられると、側端部から、鏡部の背面の発熱部や、背面と浴室壁との間の隙間が見えて、見栄えが悪いものであった。
【０００６】
本発明は上記従来の問題点に鑑みて発明したものであって、その目的とするところは、側端部から、鏡部の背面の発熱部や、背面と浴室壁との間の隙間が見えることがなく、見栄えのよい浴室鏡を提供することを課題とするものである。
【課題を解決するための手段】
【０００７】
上記課題を解決するために、本発明は、以下のような構成とする。
【０００８】
背面に発熱部が設けられた鏡部と、浴室壁に固定される固定片と前記固定片の側端部から前方に連設され前記鏡部の側端部を覆う覆い片とを備えた一対のカバーと、前記浴室壁に固定される下固定片と前記下固定片から前方に連設され前記鏡部を支持する下支持片と前記下支持片に設けられ前記鏡部の前面下端部を押さえる下押さえ部とを備えた下フレームと、前記浴室壁に固定される上固定片と前記上固定片に設けられ前記鏡部の前面上端部を押さえる上押さえ部とを備えた上フレームと、で構成される。
【発明の効果】
【０００９】
本発明の浴室鏡は、側端部から、鏡部の背面の発熱部や、背面と浴室壁との間の隙間が見えることがなく、見栄えがよいものである。
【図面の簡単な説明】
【００１０】
【図１】本発明の一実施形態の分解斜視図である。
【図２】同上の鏡部の背面側から見た斜視図である。
【図３】同上の浴室鏡の断面図である。
【図４】同上の浴室鏡が設けられた浴室の斜視図である。
【発明を実施するための形態】
【００１１】
以下、本発明を添付図面に示す実施形態に基いて説明する。
【００１２】
本発明の浴室鏡は、図１、図４に示されるように、鏡部１と、カバー２と、下フレーム３と、上フレーム４と、で構成される。
【００１３】
鏡部１は、図２に示されるように、前面が反射面１０となると共に、背面に発熱部１１が設けられるもので、本実施形態では正面視略矩形状をしたものである。発熱部１１は充電部（図示せず）を内蔵すると共にその防水処理が施されており、充電部には電源線１２が接続されている。
【００１４】
カバー２は対をなすもので、図１に示されるように、浴室壁５に固定される固定片２１と、他方の固定片２１と対向する側と反対側の側端部から前方に連設され、浴室鏡の側端部を覆う覆い片２２と、を備えた対をなすものである。すなわち、浴室壁５に向かって左側のカバー２は、固定片２１の左側の側端部から前方に覆い片２２が連設され、浴室壁５に向かって右側のカバー２は、固定片２１の右側の側端部から前方に覆い片２２が連設される。覆い片２２は、鏡部１の上下長さと略同じ長さの縦片であり、固定片２１は、本実施形態では一繋がりの縦片であるが、覆い片２２の上下に部分的に連設されるものであってもよい。覆い片２２の幅（すなわち短手方向となる前後長さ）は、浴室鏡の厚み（すなわち鏡部１の前面から発熱部１１の背面までの厚み）と略同じに形成される。
【００１５】
固定片２１には、浴室壁５へ固定される固定手段が設けられるものである。本実施形態では固定手段として固着具挿通孔２３が穿設されており、固着具挿通孔２３を介して釘やビス等の固着具（図示せず）が浴室壁５に固着されて、固定片２１が浴室壁５に固定されるが、接着剤等により固定されるものでもよく、固定手段は特に限定されない。また固着具挿通孔２３の個数も限定されない。
【００１６】
下フレーム３は、図１、図３に示されるように、浴室壁５に固定される下固定片３１と、下固定片３１から前方に連設される下支持片３２と、を備えたものである。下固定片３１は、鏡部１の左右長さと略同じ長さの横片であり、本実施形態ではその下端部から前方に下支持片３２が連設されている。
【００１７】
下支持片３２は、上面に鏡部１が載置され、浴室鏡の荷重を支持するものである。下支持片３２の幅（すなわち短手方向となる前後長さ）は、浴室鏡の厚み（すなわち鏡部１の前面から発熱部１１の背面までの厚み）と略同じに形成される。下支持片３２には、鏡部１の前面下端部を押さえて鏡部１の脱落を防止する下押さえ部３３が設けられるもので、本実施形態では下支持片３２の下端部から上方に連設されている。
【００１８】
下固定片３１には、浴室壁５へ固定される固定手段として固着具挿通孔３４が穿設されており、固着具挿通孔３４を介して釘やビス等の固着具３５が浴室壁５に固着されて、下固定片３１が浴室壁５に固定される。本実施形態では、固着具挿通孔３４は左右二箇所に穿設されているが、個数は特に限定されない。
【００１９】
上フレーム４は、図１、図３に示されるように、浴室壁５に固定される上固定片４１と、上固定片４１に設けられ鏡部１の前面上端部を押さえる上押さえ部４２と、を備えたものである。上固定片４１は、鏡部１の左右長さと略同じ長さの横片である。上押さえ部４２は、鏡部１の脱落を防止するもので、本実施形態では上固定片４１の上端部から前方に連設される水平片４３及び該水平片４３の前端部から下方に垂下される垂下片４４とからなる。水平片４３の幅（すなわち短手方向となる前後長さ）は、浴室鏡の厚み（すなわち鏡部１の前面から発熱部１１の背面までの厚み）と略同じに形成される。
【００２０】
上固定片４１には、浴室壁５へ固定される固定手段として上下に長い長孔からなる固着具挿通孔４５が穿設されており、固着具挿通孔４５を介して釘やビス等の固着具４６が浴室壁５に固着されて、上固定片４１が浴室壁５に固定される。本実施形態では、固着具挿通孔４５は左右二箇所に穿設されているが、個数は特に限定されない。
【００２１】
浴室鏡の浴室壁５への取り付けにあたっては、カバー２と下フレーム３と上フレーム４とが浴室壁５に固定され、その後で鏡部１が取り付けられる。
【００２２】
左右一対のカバー２は、両覆い片２２の間隔が鏡部１の左右長さとなるように、あるいは、両覆い片２２の間隔が鏡部１の左右長さよりも若干短くなるように、浴室壁５に固定される。
【００２３】
下フレーム３が固着具３５により浴室壁５へ固定されると共に、上フレーム４が固着具４６により浴室壁５に固着される。ここで、上フレーム４の固着具挿通孔４５は上下に長い長孔であり、上フレーム４は上下に移動可能となるもので、上フレーム４は水平片４３が下フレーム３の下支持片３２から鏡部１の上下長さよりも長い距離をおいて配置される。
【００２４】
そして、鏡部１の下端部が下支持片３２に載置されて鏡部１の前面下端部が下押さえ部３３により押さえられ、鏡部１の側端部がカバー２の覆い片２２により覆われる。電源線１２は、浴室壁５に形成された開口５１を介して浴室外に導出される。
【００２５】
最後に、上押さえ部４２の垂下片４４により鏡部１の前面上端部が押さえられるように、上フレーム４が押し下げられる。
【００２６】
上記浴室鏡にあっては、左右の側端部に設けられたカバー２により遮られて、側端部から、鏡部１の背面の発熱部１１や、背面と浴室壁５との間の隙間が見えることがなく、見栄えがよいものである。また、特に図示しないが、カバー２により背面と浴室壁５との間の隙間が完全に隠されず、若干の隙間が見えても、隙間の大部分が隠されるものであれば見栄えはよいものである。
【００２７】
また、左右のカバー２が、両覆い片２２の間隔が鏡部１の左右長さよりも若干短くなるように浴室壁５に取り付けられると、正面視においてカバー２が見えず、より一層、見栄えが向上する。
【符号の説明】
【００２８】
１    鏡部
１１  発熱部
２    カバー
２１  固定片
２２  覆い片
２３  固着具挿通孔
３    下フレーム
３１  下固定片
３２  下支持片
３３  下押さえ部
３４  固着具挿通孔
４    上フレーム
４１  上固定片
４２  上押さえ部
４５  固着具挿通孔
５    浴室壁
【図１】
2012130441.tif 000003
【図２】
2012130441.tif 000004
【図３】
2012130441.tif 000005
【図４】
2012130441.tif 000006